(57)【要約】【課題】表示される情報に適した情報表示を行うことができるようにする。【解決手段】表示装置は、入力された表示情報を表示する表示部と、表示部が表示情報を第１の表示特性で表示する期間を、表示情報に基づいて決定する決定部と、表示部が表示情報を第１の表示特性で表示し、当該表示を開始してから上記期間が経過した時点に、表示部が表示情報を第２の表示特性で表示するように、表示部を制御する制御部と、を備える。【選択図】図２
2018005109.tif 000002
【特許請求の範囲】
【請求項１】
入力された表示情報を表示する表示部と、
前記表示部が前記表示情報を第１の表示特性で表示する期間を、前記表示情報に基づいて決定する決定部と、
前記表示部が前記表示情報を前記第１の表示特性で表示し、当該表示を開始してから前記期間が経過した時点に、前記表示部が前記表示情報を第２の表示特性で表示するように、前記表示部を制御する制御部と、
を備えることを特徴とする表示装置。
【請求項２】
前記表示特性は、表示輝度、表示色、表示コントラスト、及び表示位置の何れか１つ以上の特性を含む、
ことを特徴とする請求項１記載の表示装置。
【請求項３】
前記決定部は、前記期間を、前記表示情報の情報量又は情報種に基づいて決定する、
ことを特徴とする請求項１又は２記載の表示装置。
【請求項４】
表示装置の表示方法であって、
入力された表示情報を第１の表示特性で表示し、
前記表示情報を前記第１の表示特性で表示する期間を、前記表示情報に基づいて決定し、
前記表示情報を前記第１の表示特性で表示することを開始してから前記期間が経過した時点に、前記表示情報を第２の表示特性で表示する、
ことを特徴とする表示方法。
【請求項５】
表示装置のコンピュータに、
入力された表示情報を第１の表示特性で表示する機能と、
前記表示情報を前記第１の表示特性で表示する期間を、前記表示情報に基づいて決定する機能と、
前記表示情報を前記第１の表示特性で表示することを開始してから前記期間が経過した時点に、前記表示情報を第２の表示特性で表示する機能と、
を実現させるためのプログラム。
【発明の詳細な説明】
【技術分野】
【０００１】
本発明は、文字や画像等の情報を表示する表示装置、その表示装置の表示方法、及びその表示装置で実行されるプログラムに関する。
【背景技術】
【０００２】
従来、文字や画像等の情報を表示する表示装置の一形態として、頭部装着型表示装置（所謂ヘッドマウントディスプレイ）が知られている。
頭部装着型表示装置は、その形状により、眼鏡型、ゴーグル型、帽子型等に大別することができる。また、頭部装着型表示装置は、ユーザが自己の視野内に表示情報と共に外界を視認することができるか否かにより、それができるシースルー型と、それができない非シースルー型に大別することもできる。
【０００３】
シースルー型の頭部装着型表示装置においては、ユーザの使い勝手向上の観点から、様々な提案が為されている。例えば、ユーザの行動状態に応じて表示情報の表示モードを切り替えるようにした情報表示装置が提案されている（特許文献１参照）。この情報表示装置では、ユーザが歩行中であるか否か、表示情報に注視中であるか否か、発話中であるか否か、等といったユーザの行動状態に応じて表示モードが要約表示モードや詳細表示モードへ切り替えられ、ユーザの行動状態に適した情報表示が行われる。
【先行技術文献】
【特許文献】
【０００４】
【特許文献１】特開２００７−１６３６３４号公報
【発明の概要】
【発明が解決しようとする課題】
【０００５】
シースルー型の頭部装着型表示装置においては、表示される情報に係らず情報の表示方法が一定であるとすると、次のような問題が生じ得る。例えば、表示情報量の大小等に係らず表示時間等が一定であるとすると、表示情報量が大の場合には、表示情報がユーザに視認され十分に理解される前に情報表示が終了してしまう虞がある。また、逆に表示情報量が小の場合には、表示情報がユーザに視認され理解された後も情報表示がしばらく継続される場合があり、この場合には、その継続される情報表示がユーザに鬱陶しく感じられる虞がある。このような問題は、特許文献１に提案されている情報表示装置においても同様に生じ得る。
【０００６】
本発明は、上記実状に鑑み、表示される情報に適した情報表示を行うことができる表示装置、表示方法、及びプログラムを提供することを目的とする。
【課題を解決するための手段】
【０００７】
本発明の第１の態様は、入力された表示情報を表示する表示部と、前記表示部が前記表示情報を第１の表示特性で表示する期間を、前記表示情報に基づいて決定する決定部と、前記表示部が前記表示情報を前記第１の表示特性で表示し、当該表示を開始してから前記期間が経過した時点に、前記表示部が前記表示情報を第２の表示特性で表示するように、前記表示部を制御する制御部と、を備える表示装置を提供する。
【０００８】
本発明の第２の態様は、第１の態様において、前記表示特性は、表示輝度、表示色、表示コントラスト、及び表示位置の何れか１つ以上の特性を含む、表示装置を提供する。
【０００９】
本発明の第３の態様は、第１又は第２の態様において、前記決定部は、前記期間を、前記表示情報の情報量又は情報種に基づいて決定する、表示装置を提供する。
【００１０】
本発明の第４の態様は、表示装置の表示方法であって、入力された表示情報を第１の表示特性で表示し、前記表示情報を前記第１の表示特性で表示する期間を、前記表示情報に基づいて決定し、前記表示情報を前記第１の表示特性で表示することを開始してから前記期間が経過した時点に、前記表示情報を第２の表示特性で表示する、表示方法を提供する。
【００１１】
本発明の第５の態様は、表示装置のコンピュータに、入力された表示情報を第１の表示特性で表示する機能と、前記表示情報を前記第１の表示特性で表示する期間を、前記表示情報に基づいて決定する機能と、前記表示情報を前記第１の表示特性で表示することを開始してから前記期間が経過した時点に、前記表示情報を第２の表示特性で表示する機能と、を実現させるためのプログラムを提供する。
【発明の効果】
【００１２】
本発明によれば、表示される情報に適した情報表示を行うことができる、という効果を奏する。
【図面の簡単な説明】
【００１３】
【図１】一実施の形態に係る表示装置の外観斜視図である。
【図２】眼鏡部の内部に設けられた表示ユニットの構成例を示す図である。
【図３】一実施の形態に係る表示装置が行う表示動作の一例を示すフローチャートである。
【図４】表示データが表す表示情報がテキスト（文字）である場合に行われるタイマリミット値決定処理（Ｓ１０３）の一例を示すフローチャートである。
【図５】表示データが表す表示情報が画像である場合に行われるタイマリミット値決定処理（Ｓ１０３）の一例を示すフローチャートである。
【図６】表示データが表す表示情報がテキストである場合に行われる表示動作の一例を示す第１の図である。
【図７】表示データが表す表示情報がテキストである場合に行われる表示動作の一例を示す第２の図である。
【図８】表示データが表す表示情報が画像である場合に行われる表示動作の一例を示す第１の図である。
【図９】表示データが表す表示情報が画像である場合に行われる表示動作の一例を示す第２の図である。
【図１０】変更する表示特性とその表示特性を変更するタイミング（タイマリミット値）を決定する要素との組み合わせの一例を示す図である。
【発明を実施するための形態】
【００１４】
以下、図面を参照しながら、本発明の実施の形態について説明する。
図１は、本発明の一実施の形態に係る表示装置の外観斜視図である。
図１に示したように、表示装置１は、頭部装着型の表示装置である。より詳しくは、表示装置１は、眼鏡の形状を有する眼鏡型であって、且つ、当該表示装置１を使用中のユーザが自己の視野内に表示情報と共に外界を視認することができるシースルー型の頭部装着型表示装置である。
【００１５】
図１において、表示装置１は、眼鏡部１０と、眼鏡部１０の内部（例えば、眼鏡部１０のアーム部（つる部）１０ａの内部）に設けられた後述の表示ユニット２０（図１では不図示）と、アーム部１０ａの側面に設けられた操作ボタン３０と、表示光学系４０とを備える。
【００１６】
操作ボタン３０は、ユーザが表示装置１に対して所定の指示（例えば、表示装置１の電源をオン又はオフさせる指示等）を行うためのボタンである。
表示光学系４０は、表示ユニット２０に備えられる後述のディスプレイ２０７に表示された文字や画像等の表示情報を光学的にユーザの眼球前面に導くための導光光学系であり、例えば特許文献１に記載の表示光学系と同様の構成を有する。なお、表示光学系４０の構成は、これに限らず、表示装置１としてシースルー型の表示装置を実現できるのであれば何れの構成でもよい。
【００１７】
図２は、眼鏡部１０の内部に設けられた表示ユニット２０の構成例を示す図である。
図２に示したように、表示ユニット２０は、バス２０１と、そのバス２０１に接続されたＲＡＭ（Random Access Memory）２０２、ＲＯＭ（Read Only Memory）２０３、操作ＳＷ（Switch）部２０４、無線通信ユニット２０５、及びＣＰＵ（Central Processing Unit）２０６と、そのＣＰＵ２０６に接続されたディスプレイ２０７とを備える。
【００１８】
バス２０１は、当該バス２０１に接続されたＲＡＭ２０２、ＲＯＭ２０３、操作ＳＷ部２０４、無線通信ユニット２０５、及びＣＰＵ２０６の間で送受されるデータの伝送路である。
【００１９】
ＲＡＭ２０２は、ワークエリア等として使用されるメモリであって、例えば、ディスプレイ２０７に表示される文字や画像等の表示情報を表す表示データが一時的に格納（記憶）される。なお、ＲＡＭ２０２に格納される表示データは、例えば、無線通信ユニット２０５を介して外部から入力される。
【００２０】
ＲＯＭ２０３は、ＣＰＵ２０６により実行されるプログラムや、そのプログラムの実行中に使用されるデータ等が記憶される。
操作ＳＷ部２０４は、操作ボタン３０に連動する操作ＳＷを含み、例えば、操作ボタン３０（操作ボタン３０に連動する操作ＳＷ）の状態に応じた電気信号をＣＰＵ２０６に通知する。
【００２１】
無線通信ユニット２０５は、ＣＰＵ２０６の制御の下に、外部機器との間で無線通信を行う。例えば、無線通信ユニット２０５は、スマートフォン（登録商標）やタブレット等の外部機器との間で、Ｂｌｕｅｔｏｏｔｈ（登録商標）等による無線通信を行い、その外部機器から表示データ等を受信する。なお、受信された表示データは、その後、ＲＡＭ２０２に格納される。
【００２２】
ＣＰＵ２０６は、ＲＯＭ２０３に格納されているプログラムを実行することにより、表示装置１（表示ユニット２０）の動作を制御する。例えば、ＣＰＵ２０６は、図３を用いて後述する表示動作等を制御する。
【００２３】
ディスプレイ２０７は、例えば、透過型又は反射型の液晶表示素子、自発光型の有機ＥＬ（Electro Luminescence）素子、或いは無機ＥＬ素子等の表示パネルであって、ＣＰＵ２０６の制御の下に、ＲＡＭ２０２に格納されている表示データが表す文字や画像等の表示情報を特定の表示特性で表示する。表示特性は、例えば、表示輝度、表示色、表示コントラスト、及び表示位置の何れか１つ以上の特性を含む。
【００２４】
なお、図示はしないが、表示ユニット２０はバッテリーも備えており、表示ユニット２０の各部への電力供給は、そのバッテリーから行われる。
【００２５】
このような構成を有する表示装置１において、ディスプレイ２０７は、入力された表示情報を表示する表示部の一例である。ＣＰＵ２０６の一部の機能は、表示部が表示情報を第１の表示特性で表示する期間を、表示情報に基づいて決定する決定部の一例である。ＣＰＵ２０６の他の一部の機能は、表示部が表示情報を第１の表示特性で表示し、当該表示を開始してから上記期間が経過した時点に、表示部が表示情報を第２の表示特性で表示するように、表示部を制御する制御部の一例である。
【００２６】
図３は、表示装置１（表示ユニット２０）が行う表示動作の一例を示すフローチャートである。なお、この表示動作は、ＣＰＵ２０６がＲＯＭ２０３に格納されているプログラムを実行することによって行われる動作である。また、この表示動作は、ディスプレイ２０７に表示される文字や画像等の表示情報を表す表示データがＲＡＭ２０２に格納されると開始する。
【００２７】
図３に示したように、本動作が開始すると、まず、ＣＰＵ２０６は、ＲＡＭ２０２に格納されている表示データが更新されたか否かを判定する（Ｓ１０１）。但し、この時のＳ１０１の判定が、本動作開始後に最初に行われるＳ１０１の判定である場合には、当該判定の判定結果をＹＥＳとして処理が進む。
【００２８】
Ｓ１０１の判定結果がＹＥＳの場合、ＣＰＵ２０６は、ディスプレイ２０７の表示輝度を第１設定値に設定し、ＲＡＭ２０２に格納されている表示データが表す表示情報をディスプレイ２０７に表示させる（Ｓ１０２）。これにより、ディスプレイ２０７には、表示データが表す表示情報が第１設定値の表示輝度（第１の表示特性の一例）で表示される。なお、第１設定値は、例えば、表示情報がユーザに視認され易い表示輝度となるような値とされる。
【００２９】
Ｓ１０２の後、ＣＰＵ２０６は、詳細は図４及び図５を用いて後述するように、ＲＡＭ２０２に格納されている表示データが表す表示情報の情報量に基づいて、ＣＰＵ２０６が備えるタイマのリミット値（以下「タイマリミット値」という）を決定する処理（タイマリミット値決定処理）を行う（Ｓ１０３）。なお、ここで決定されるタイマリミット値は、ＲＡＭ２０２に格納されている表示データが表す表示情報をディスプレイ２０７が第１設定値の表示輝度で表示する期間に対応する値である。
【００３０】
Ｓ１０３の後、ＣＰＵ２０６は、Ｓ１０３で決定されたタイマリミット値を設定し、タイマを初期化（リセット及びスタート）する（Ｓ１０４）。
Ｓ１０４の後、又は、Ｓ１０１の判定結果がＮＯの場合、ＣＰＵ２０６は、タイマの値がタイマリミット値に到達したか否かを判定する（Ｓ１０５）。
【００３１】
Ｓ１０５の判定結果がＮＯの場合は、処理がＳ１０１へ戻る。
一方、Ｓ１０５の判定結果がＹＥＳの場合、ＣＰＵ２０６は、ディスプレイ２０７の表示輝度を第２設定値に設定する（Ｓ１０６）。これにより、ディスプレイ２０７には、第１設定値の表示輝度で表示されていた表示情報が第２設定値の表示輝度（第２の表示特性の一例）で表示される。なお、第２設定値は、第１設定値よりも表示輝度が低くなる値とされる。例えば、第２設定値は、表示情報がユーザの視界の妨げになり難い表示輝度になるような値とされる。
【００３２】
Ｓ１０６の後、ＣＰＵ２０６は、表示終了か否かを判定する（Ｓ１０７）。
Ｓ１０７の判定結果がＮＯの場合は、処理がＳ１０１へ戻る。
一方、Ｓ１０７の判定結果がＹＥＳの場合は、本動作が終了する。
【００３３】
なお、図３に示した表示動作では、Ｓ１０１の判定結果がＹＥＳになると、Ｓ１０２→Ｓ１０３→Ｓ１０４の順にＳ１０２乃至Ｓ１０４の処理を行うが、その処理順番はこれに限らず、例えば、Ｓ１０３→Ｓ１０２→Ｓ１０４の順にＳ１０２乃至Ｓ１０４の処理を行うようにしてもよい。この場合、例えば、ＣＰＵ２０６の処理能力が高い場合には、図３に示したようにＳ１０２→Ｓ１０３→Ｓ１０４の順にＳ１０２乃至Ｓ１０４の処理を行い、ＣＰＵ２０６の処理能力が高くない（低い）場合には、Ｓ１０３→Ｓ１０２→Ｓ１０４の順にＳ１０２乃至Ｓ１０４の処理を行うようにしてもよい。このようにすることで、Ｓ１０２の終了時刻（ディスプレイ２０７が第１設置値の表示輝度で表示情報の表示を開始する時刻）とＳ１０４の終了時刻（タイマがスタートする時刻）との時間差を無視できる程度に小さくすることができる。
【００３４】
また、図３に示した表示動作において、Ｓ１０７の判定では、例えば、Ｓ１０２の処理が行われてから（ディスプレイ２０７が第１設定値の表示輝度で表示情報の表示を開始してから）所定時間が経過すると表示終了と判定し、その所定時間が経過していないと表示終了でないと判定するようにしてもよい。但し、このときの所定時間は、タイマリミット値に対応する時間よりも長い時間とされる。
【００３５】
あるいは、Ｓ１０７の判定では、例えば、Ｓ１０６の処理が行われてから（ディスプレイ２０７が第２設定値の表示輝度で表示情報の表示を開始してから）所定時間が経過すると表示終了と判定し、その所定時間が経過していないと表示終了でないと判定するようにしてもよい。この場合は、更に、その所定時間がタイマリミット値に応じて変更されるようにしてもよい。
【００３６】
もしくは、Ｓ１０７の判定では、例えば、ユーザによる操作ボタン３０の操作により表示装置１の電源をオフさせる指示が為されると表示終了と判定し、その指示が為されていないと表示終了でないと判定するようにしてもよい。
【００３７】
図４は、表示データが表す表示情報がテキスト（文字）である場合に行われるタイマリミット値決定処理（Ｓ１０３）の一例を示すフローチャートである。
図４に示したように、本処理では、まず、ＣＰＵ２０６が、ＲＡＭ２０２に格納されている表示データが表すテキストの文字数をカウントする（Ｓ２０１）。
【００３８】
続いて、ＣＰＵ２０６は、Ｓ２０１でカウントされた文字数が閾値（例えば２０文字）よりも多いか否かを判定する（Ｓ２０２）。
Ｓ２０２の判定結果がＹＥＳの場合、ＣＰＵ２０６は、タイマリミット値を第１設定値（例えば１０秒に相当する値）に決定する（Ｓ２０３）。
【００３９】
一方、Ｓ２０２の判定結果がＮＯの場合、ＣＰＵ２０６は、タイマリミット値を第２設定値（例えば２秒に相当する値）に決定する（Ｓ２０４）。
なお、Ｓ２０４で決定される第２設定値は、Ｓ２０３で決定される第１設定値よりもタイマリミット値が小さくなる値とされる。
【００４０】
Ｓ２０３又はＳ２０４の処理が終了すると、本処理が終了（リターン）する。
図５は、表示データが表す表示情報が画像である場合に行われるタイマリミット値決定処理（Ｓ１０３）の一例を示すフローチャートである。
【００４１】
図５に示したように、本処理では、まず、ＣＰＵ２０６が、ＲＡＭ２０２に格納されている表示データである画像データをＪＰＥＧ（Joint Photographic Experts Group）符号化し、その符号量を求める（Ｓ３０１）。
【００４２】
続いて、ＣＰＵ２０６は、Ｓ３０１で求められた符号量が閾値（例えば８０キロバイト）よりも多いか否かを判定する（Ｓ３０２）。
Ｓ３０２の判定結果がＹＥＳの場合、ＣＰＵ２０６は、タイマリミット値を第１設定値（例えば１０秒に相当する値）に決定する（Ｓ３０３）。
【００４３】
一方、Ｓ３０２の判定結果がＮＯの場合、ＣＰＵ２０６は、タイマリミット値を第２設定値（例えば２秒に相当する値）に決定する（Ｓ３０４）。
なお、Ｓ３０４で決定される第２設定値は、Ｓ３０３で決定される第１設定値よりもタイマリミット値が小さくなる値とされる。
【００４４】
Ｓ３０３又はＳ３０４の処理が終了すると、本処理が終了（リターン）する。
このような図３乃至図５を用いて説明した表示動作によれば、例えば図６、図７、図８、及び図９に示すような表示動作が行われる。
【００４５】
図６及び図７は、表示データが表す表示情報がテキストである場合に行われる表示動作の一例を示す図である。より詳しくは、図６は、そのテキストの文字数が少ない場合に行われる表示動作の一例を示す図であり、図７は、そのテキストの文字数が多い場合に行われる表示動作の一例を示す図である。
【００４６】
なお、図６及び図７の各図において、左側は、ディスプレイ２０７に表示されるテキストを示し、右側は、その表示開始から表示終了までの間のディスプレイ２０７の表示輝度の変化の様子を表すグラフを示している。また、図６及び図７に示す例では、文字数としての閾値を２０文字とし、タイマリミット値としての第１設定値を１０秒に相当する値とし、タイマリミット値としての第２設定値を２秒に相当する値とする。
【００４７】
図６に示した例は、表示データが表すテキストが「完了」であり、その文字数が２文字の例である。この場合は、文字数（２文字）が閾値（２０文字）以下となることから、図４に示したタイマリミット値決定処理により、タイマリミット値として第２設定値（２秒に相当する値）が決定される。これにより、「完了」というテキストは、表示開始から２秒間は第１設定値の表示輝度でディスプレイ２０７に表示され、その後、表示終了までは第２設定値の表示輝度でディスプレイ２０７に表示される。これは、すなわち、そのテキストが、表示開始から２秒間はユーザに視認され易い表示輝度で表示され、その後、表示終了まではユーザの視界の妨げになり難い表示輝度で表示される、と言うこともできる。
【００４８】
図７に示した例は、表示データが表すテキストが「吾輩は猫である。名前はまだ無い。どこで生れたかとんと見当がつかぬ。何でも薄暗いじめじめした」であり、その文字数が４５文字の例である。この場合は、文字数（４５文字）が閾値（２０文字）よりも多くなることから、図４に示したタイマリミット値決定処理により、タイマリミット値として第１設定値（１０秒に相当する値）が決定される。これにより、「吾輩は猫である。名前はまだ無い。どこで生れたかとんと見当がつかぬ。何でも薄暗いじめじめした」というテキストは、表示開始から１０秒間は第１設定値の表示輝度でディスプレイ２０７に表示され、その後、表示終了までは第２設定値の表示輝度でディスプレイ２０７に表示される。これは、すなわち、そのテキストが、表示開始から１０秒間はユーザに視認され易い表示輝度で表示され、その後、表示終了まではユーザの視界の妨げになり難い表示輝度で表示される、と言うこともできる。
【００４９】
図８及び図９は、表示データが表す表示情報が画像である場合に行われる表示動作の一例を示す図である。より詳しくは、図８は、その画像を表す表示データ（画像データ）をＪＰＥＧ符号化したときの符号量が少なくなる場合に行われる表示動作の一例を示す図であり、図９は、その符号量が多くなる場合に行われる表示動作の一例を示す図である。
【００５０】
なお、図８及び図９の各図において、左側は、ディスプレイ２０７に表示される画像を示し、右側は、その表示開始から表示終了までの間のディスプレイ２０７の表示輝度の変化の様子を表すグラフを示している。また、図８及び図９に示す例では、符号量としての閾値を８０キロバイトとし、タイマリミット値としての第１設定値を１０秒に相当する値とし、タイマリミット値としての第２設定値を２秒に相当する値とする。
【００５１】
図８に示した例は、画像を表す表示データ（画像データ）をＪＰＥＧ符号化したときの符号量が閾値（８０キロバイト）以下となる例である。この場合は、図５に示したタイマミット値決定処理により、タイマリミット値として第２設定値（２秒に相当する値）が決定される。これにより、表示データ（画像データ）が表す画像は、表示開始から２秒間は第１設定値の表示輝度でディスプレイ２０７に表示され、その後、表示終了までは第２設定値の表示輝度でディスプレイ２０７に表示される。これは、すなわち、その画像が、表示開始から２秒間はユーザに視認され易い表示輝度で表示され、その後、表示終了まではユーザの視界の妨げになり難い表示輝度で表示される、と言うこともできる。
【００５２】
図９に示した例は、画像を表す表示データ（画像データ）をＪＰＥＧ符号化したときの符号量が閾値（８０キロバイト）よりも多くなる例である。この場合は、図５に示したタイマリミット値決定処理により、タイマリミット値として第１設定値（１０秒に相当する値）が決定される。これにより、表示データ（画像データ）が表す画像は、表示開始から１０秒間は第１設定値の表示輝度でディスプレイ２０７に表示され、その後、表示終了までは第２設定値の表示輝度でディスプレイ２０７に表示される。これは、すなわち、その画像が、表示開始から１０秒間はユーザに視認され易い表示輝度で表示され、その後、表示終了まではユーザの視界の妨げになり難い表示輝度で表示される、と言うこともできる。
【００５３】
このように、表示データが表す表示情報が、図６に例示したテキストや図８に例示した画像等のように、ユーザによる視認及び理解に要する時間が短くなるような情報量の少ない表示情報である場合には、第１設定値の表示輝度で表示される時間（ユーザに視認され易い表示輝度で表示される時間と言うことができる）が短くなることから、ユーザが表示情報を視認及び確認した後もその表示情報が継続してユーザに視認されるようなことは無く、表示情報に対してユーザが鬱陶しさを感じる虞は無い。
【００５４】
逆に、表示データが表す表示情報が、図７に例示したテキストや図９に例示した画像等のように、ユーザによる視認及び理解に要する時間が長くなるような情報量の多い表示情報である場合には、第１設定値の表示輝度で表示される時間が長くなることから、ユーザによる表示情報の視認及び理解が十分に行われる前に情報表示が終了するようなことは無く、ユーザは表示情報の視認及び確認を十分に行うことができる。
【００５５】
以上のように、本実施形態によれば、表示される情報に適した情報表示を行うことができる。
なお、本実施形態においては、次のような変形を行うこともできる。
【００５６】
例えば、図４及び図５を用いて説明したタイマリミット値決定処理では、表示データが表す表示情報の情報量（文字数、符号量）に基づいて、タイマリミット値が、異なる２つの設定値（第１設定値及び第２設定値）の何れかに決定される例を示したが、異なる３つ以上の設定値のいずれかに決定されるようにしてもよい。あるいは、タイマリミット値を、表示データが表す表示情報の情報量に基づいて、演算により求める（決定する）ようにしてもよい。
【００５７】
また、例えば、図３を用いて説明した表示動作では、ディスプレイ２０７に表示される表示情報の表示特性が変更される例として表示輝度が変更される例を示したが、表示輝度の代わりに、表示色、表示コントラスト、又は表示位置が変更されるようにしてもよい。
【００５８】
表示色が変更されるとした場合には、ＣＰＵ２０６が、図３のＳ１０２にて、表示データが表す表示情報を第１表示色でディスプレイ２０７に表示させ、図３のＳ１０６にて、表示データが表す表示情報を第２表示色でディスプレイ２０７に表示させる。ここで、第１表示色は、例えば、ユーザに視認され易い表示色とされ、第２表示色は、例えば、ユーザの視界の妨げになり難い表示色とされる。
【００５９】
表示コントラストが変更されるとした場合には、ＣＰＵ２０６が、図３のＳ１０２にて、表示データが表す表示情報を第１表示コントラストでディスプレイ２０７に表示させ、図３のＳ１０６にて、表示データが表す表示情報を第２表示コントラストでディスプレイ２０７に表示させる。ここで、第１表示コントラストは、例えば、ユーザに視認され易い表示コントラストとされ、第２表示コントラストは、例えば、ユーザの視界の妨げになり難い表示コントラストとされる。
【００６０】
表示位置が変更されるとした場合には、ＣＰＵ２０６が、図３のＳ１０２にて、表示データが表す表示情報をディスプレイ２０７の第１表示位置に表示させ、図３のＳ１０６にて、表示データが表す表示情報をディスプレイ２０７の第２表示位置に表示させる。ここで、第１表示位置は、例えば、ユーザに視認され易い表示位置とされ、第２表示位置は、例えば、ユーザの視界の妨げになり難い表示位置とされる。
【００６１】
また、例えば、図３を用いて説明した表示動作では、表示特性が変更されるタイミングを決定するタイマリミット値が、表示データが表す表示情報の情報量に基づいて決定される例を示したが、そのタイマリミット値が、表示データが表す表示情報の情報種別に基づいて決定されるようにしてもよい。この場合は、例えば、表示データに、当該表示データが表す表示情報の情報種別を表す種別データが付帯され、ＣＰＵ２０６は、図３のＳ１０３にて、その種別データが表す情報種別に基づいてタイマリミット値を決定する。ここで、種別データが表す情報種別は、例えば、「警告」、「注意」、又は「情報」である。「警告」は、ユーザに警告を促す情報であることを示す。「注意」は、ユーザに注意を促す情報であることを示す。「情報」は、それ以外の情報であることを示す。この場合、「警告」の情報種別に基づいて決定されるタイマリミット値は、「注意」の情報種別に基づいて決定されるタイマリミット値よりも大きな値とされる。また、「注意」の情報種別に基づいて決定されるタイマリミット値は、「情報」の情報種別に基づいて決定されるタイマリミット値よりも大きな値とされる。
【００６２】
また、これまでに述べてきた表示動作において、変更する表示特性とその表示特性を変更するタイミング（タイマリミット値）を決定する要素との組み合わせは、上述の組み合わせに限らず、例えば、図１０に示す組み合わせの中から選択して採用することができる。この場合は、その組み合わせとして、１つの表示特性と１つの決定要素とを組み合わせてもよいし、複数の表示特性と１つの決定要素とを組み合わせてもよい。例えば、前者の組み合わせとして、「表示色」と「情報種別（警告、注意、情報）」とを組み合わせてもよいし、後者の組み合わせとして、「表示輝度」及び「表示色」と「情報種別（警告、注意、情報）」とを組み合わせてもよい。なお、このときの後者の組み合わせの場合には、表示データが表す表示情報の情報種別に基づいて決定されたタイミングに、表示輝度及び表示色の両方が変更されることになる。
【００６３】
以上、上述した実施形態は、発明の理解を容易にするために本発明の具体例を示したものであり、本発明は上述の実施形態に限定されるものではない。本発明は、特許請求の範囲に規定された本発明の思想を逸脱しない範囲において、さまざまな変形、変更を行うことができる。
【符号の説明】
【００６４】
１            表示装置
１０          眼鏡部
１０ａ        アーム部（つる部）
２０          表示ユニット
３０          操作ボタン
４０          表示光学系
２０１        バス
２０２        ＲＡＭ
２０３        ＲＯＭ
２０４        操作ＳＷ部
２０５        無線通信ユニット
２０６        ＣＰＵ
２０７        ディスプレイ
【図１】
2018005109.tif 000003
【図２】
2018005109.tif 000004
【図３】
2018005109.tif 000005
【図４】
2018005109.tif 000006
【図５】
2018005109.tif 000007
【図６】
2018005109.tif 000008
【図７】
2018005109.tif 000009
【図８】
2018005109.tif 000010
【図９】
2018005109.tif 000011
【図１０】
2018005109.tif 000012